(57)【特許請求の範囲】
【請求項１】
外周に略均等間隔で複数のコーナーを有する多角形状のステータを焼嵌めまたは圧入した筒状のケース内に、外周に略均等間隔で前記ステータのコーナー数と同じかあるいは前記コーナー数を割り切れる２以上の整数で割って得られる２以上の整数から選ばれる前記コーナー数より少ない複数のコーナーを有する多角形状の軸受が前記ケースの外側から溶接して固定して取付られ、この軸受により前記ケースにロータを外挿した回転軸を支持した電動機構造において、前記ステータのコーナーの位置と前記軸受のコーナーの位置を前記回転軸の軸方向において一致させずにずらして配設したことを特徴とする電動機構造。
【請求項２】
請求項１記載の電動機構造を備えた密閉型圧縮機であって、軸受の同軸性を確保しかつステータとロータの均一なギャップを維持して前記軸受が固定して取付けられていることを特徴とする密閉型圧縮機。
【発明の詳細な説明】
【０００１】
【発明の属する技術分野】
本発明は、電動機構造およびそれを備えた冷凍機および空気調和機などに使用される密閉型圧縮機に関するものである。
【０００２】
【従来の技術】
従来、空気調和機などの冷凍サイクルに使用される密閉型圧縮機１Ａは、例えば図３に示される構成になっている。両端が閉鎖された筒状の容器（ケース）１の内側には電動要素２と圧縮要素３とが内蔵されている。上記の電動要素２は上記のケース１の内壁面側に焼嵌めまたは圧入して固定されたステータ４と、このステータ４の内側に回転自在に支持されたロータ５とからなり、このロータ５には回転軸６が貫通状態に結合されている。この回転軸６の一端は圧縮要素３の一部を構成する主軸受７に、回転軸６の他端は副軸受８に回転自在に支持されている。
そして、吸入管９を経て圧縮要素３内に冷媒ガスを吸込み、冷媒ガスを圧縮して圧縮した冷媒ガスは一旦密閉容器１内の高圧空間内に吐出された後、吐出管１０から吐出される。
上記密閉型圧縮機１Ａは、ケース１、ステータ４、ロータ５、回転軸６、主軸受７、副軸受８などからなる電動機構造を組み立てた後、圧縮要素３その他を装着し両端を閉鎖して製造される。
【０００３】
ステータ４は、外周に例えば、３、４、５、６、７、８、９、１０、１１、１２個などのように複数のコーナーが略均等間隔である多角形状を有しており、ケース１内に前記複数のコーナーの面がケース１の内壁に接して焼嵌め、または圧入によって装着される。
このようにしてステータ４を装着したケース１の中心部に、ロータ５を外挿した回転軸６を、ステータ４とロータ５との間に適当なギャップを保つように挿入して、ケース１の両端部内の主軸受７および副軸受８で同軸性を維持しながらそれぞれ回転軸６を支持し、ケース１と前記両軸受をケース１の外側から溶接して固定して電動機構造が組み立てられる。
【０００４】
多角形状を有するステータ４を焼嵌め、または圧入したケース１は、ケース１の内壁に接するステータ４の各コーナーの面に沿ってケース１両端にかけてケース１内面の形状に歪みが生じる。歪んだケース１と前記両軸受の両方または一方が接触する面の形状または位置が一致していないと、ステータ４を焼嵌めまたは圧入したケース１と両軸受を溶接する時、ケース１と両軸受の隙間または圧入代が不均一となるため、ステータ４とロータ５の均一なギャップが保てず、また両軸受の同軸性が確保できなくなる問題があった。
【０００５】
【発明が解決しようとする課題】
本発明の目的は、外周に略均等間隔で複数のコーナーを有する多角形状のステータ４を焼嵌めまたは圧入した筒状のケース１を用いて、ステータ４とロータ５の均一なギャップを維持し、また両軸受の同軸性を確保しつつ両軸受をケース１の外側から溶接して固定した電動機構造およびその電動機構造を備えた密閉型圧縮機を提供することである。
【０００６】
【課題を解決するための手段】
すなわち、上記課題を解決するため請求項１の発明は、外周に略均等間隔で複数のコーナーを有する多角形状のステータを焼嵌めまたは圧入した筒状のケース内に、外周に略均等間隔で前記ステータのコーナー数と同じかあるいは前記コーナー数を割り切れる２以上の整数で割って得られる２以上の整数から選ばれる前記コーナー数より少ない複数のコーナーを有する多角形状の軸受が前記ケースの外側から溶接して固定して取付られ、この軸受により前記ケースにロータを外挿した回転軸を支持した電動機構造において、前記ステータのコーナーの位置と前記軸受のコーナーの位置を前記回転軸の軸方向において一致させずにずらして配設したことを特徴とするものである。
多角形状を有するステータを焼嵌め、または圧入したケースは、ケースの内壁に接するステータの各コーナーの面に沿って形状に歪みが生じるが、ステータのコーナーの位置と軸受のコーナーの位置を回転軸の軸方向において一致させずにずらして配設することにより、ステータとロータのギャップを均一に保て、また軸受の同軸性が確保できる。
【０００７】
本発明の請求項２の発明は、請求項１記載の電動機構造を備えた密閉型圧縮機であって、軸受の同軸性を確保しかつステータとロータの均一なギャップを維持して前記軸受が固定して取付けられていることを特徴とする密閉型圧縮機である。
ステータとロータのギャップが均一で、また両軸受の同軸性が確保された電動機構造を備えた本発明の密閉型圧縮機は、冷凍特性などの諸特性に優れる。
【０００８】
【発明の実施の形態】
以下、本発明の一実施例を図１および図２に示す図面に基づいて詳細に説明する。図１は、本発明の電動機構造の一実施例を示す断面説明図であり、図２のＡ−Ａ断面を示す。そして図２は図１に示した本発明の電動機構造の平面説明図である。
図１および図２において、本発明の電動機構造１１は、筒状のケース１、ステータ４、ロータ５、回転軸６、主軸受７、副軸受８などから構成されている。
ステータ４は、外周に４−１、４−２、４−３、４−４の合計４個のコーナーが略均等間隔である多角形状を有しており、ケース１内にこのコーナーの面がケース１の内壁に接して焼嵌められて装着されている。図２のＣは、ステータ４の４−１、４−２、４−３、４−４の各コーナーがケース１の内壁に接していない箇所を示す。
【０００９】
そして図２に示したように外周に略均等間隔でステータ４のコーナー数と同じ４個のコーナー７−１、７−２、７−３、７−４を有する多角形状の主軸受７、および図示しない外周に略均等間隔でステータ４のコーナー数と同じ４個のコーナーを有する多角形状の副軸受がそれぞれステータ４の各コーナーの位置と両軸受の各コーナーの位置が回転軸６の軸方向において一致させずにずらして配設されている。図２のＢは、主軸受７の７−１、７−２、７−３、７−４の各コーナーがケース１の内壁に接している箇所を示す。
【００１０】
そして、両軸受によりケース１の中心部にロータ５を外挿した回転軸６が支持されている。ケース１と両軸受はケース１の外側から溶接して固定されている。多角形状を有するステータ４を焼嵌めたケース１は、ケース１の内壁に接するステータ４の４個のコーナーの面に沿って形状に歪みが生じるが、ステータ４の４個のコーナーの位置と両軸受の４個のコーナーの位置を回転軸６の軸方向において一致させずにずらして配設してあるので、ステータ４とロータ５のギャップを均一に保て、また両軸受の同軸性が確保できる。
【００１１】
この実施例ではステータ４のコーナーの数は４個としたが、前記のように例えば、３、４、５、６、７、８、９、１０、１１、１２個などとすることができ、これに対応する多角形状の主軸受などのコーナーの数は、ステータ４のコーナー数と同じかあるいは少ない数であり、ステータ４のコーナーの数に対応して例えば下記の表１に示したような数とすることができる。
【００１２】
【表１】
0003685610.tif 000002
【００１３】
各コーナーには切り欠きを設けてブリッジ状等にすることがあるが、切り欠きはコーナーの数としては計算しないものとする。
【００１４】
本発明の密閉型圧縮機は、電動機構造が本発明の電動機構造を用いた以外は図３に示した密閉型圧縮機と同様になっている。
【００１５】
なお、本発明は上記実施例に限定されるものではないので、特許請求の範囲に記載の趣旨から逸脱しない範囲で各種の変形実施が可能である。
【００１６】
【発明の効果】
本発明の電動機構造は、外周に略均等間隔で複数のコーナーを有する多角形状のステータ４を焼嵌めまたは圧入した筒状のケース１を用いて、ステータ４とロータ５の均一なギャップを維持でき、両軸受の同軸性を確保しつつ両軸受をケース１の外側から溶接して固定できる。
本発明の密閉型圧縮機は本発明の電動機構造を備えたので、ステータ４とロータ５のギャップが均一で、また両軸受の同軸性が確保され、冷凍特性などの諸特性に優れている。
【図面の簡単な説明】
【図１】  本発明の電動機構造の一実施例の全体構成を説明する断面説明図である。
【図２】  図１に示した本発明の電動機構造の平面説明図である。
【図３】  従来の密閉型圧縮機の全体構成を説明する説明図である。
【符号の説明】
１Ａ  密閉型圧縮機
１  ケース
２  電動要素
３  圧縮要素
４  ステータ
５  ロータ
６  回転軸
７  主軸受
８  副軸受
４−１、４−２、４−３、４−４、７−１、７−２、７−３、７−４、８−１、８−３  コーナー
１１  電動機構造
【図１】
0003685610.tif 000003
【図２】
0003685610.tif 000004
【図３】
0003685610.tif 000005